【手続補正書】
【提出日】平成24年8月2日(2012.8.2)
【手続補正１】
【補正対象書類名】特許請求の範囲
【補正対象項目名】全文
【補正方法】変更
【補正の内容】
【特許請求の範囲】
【請求項１】
外部装置から画面情報を受信する第１の受信手段と、
前記画面情報に基づいて操作画面を表示する表示手段と、
前記操作画面を介して入力される入力情報を前記外部装置に送信する送信手段と、
前記送信手段が前記入力情報を送信した後、前記入力情報に基づいて生成された処理要求を前記外部装置から受信する第２の受信手段と、
前記第２の受信手段が受信した処理要求に基づいて画像処理を行う画像処理手段と、
前記表示手段に表示される操作画面を介して入力される入力情報が秘匿情報であるか否かを判定する判定手段と、
前記判定手段により秘匿情報であると判定された入力情報を記憶する記憶手段とを有し、
前記判定手段により前記入力情報が秘匿情報であると判定された場合、前記送信手段は前記判定手段により秘匿情報であると判定された入力情報を送信せず、前記画像処理手段は前記記憶手段に記憶された前記入力情報を用いて画像処理を行うことを特徴とする画像処理装置。
【請求項２】
前記入力情報が前記画像処理装置で用いられる情報であるか否かを判定する第２の判定手段を有し、
前記第２の判定手段により前記入力情報が前記画像処理装置で用いられる情報でないと判定された場合、前記送信手段は前記入力情報が秘匿情報であるか否かに関わらず、前記入力情報を送信することを特徴とする請求項１に記載の画像処理装置。
【請求項３】
前記判定手段により秘匿情報であると判定された入力情報に対する識別情報を生成する生成手段と、
前記記憶手段は、前記判定手段により秘匿情報である判定された入力情報と前記生成手段により生成された識別情報とを対応づけて記憶し、
前記判定手段により前記入力情報が秘匿情報であると判定された場合、前記送信手段は前記入力情報を送信する代わりに、前記生成手段により生成された識別情報を送信することを特徴とする請求項１または２に記載の画像処理装置。
【請求項４】
前記第２の受信手段により前記処理要求を受信した後、前記処理要求に含まれる前記識別情報を、前記記憶手段により記憶された秘匿情報に置換する置換手段とを有し、
前記画像処理手段は、前記置換手段により置換された後の処理要求に基づいて画像処理を行うことを特徴とする請求項３に記載の画像処理装置。
【請求項５】
外部装置から画面情報を受信する第１の受信手段と、
前記画面情報に基づいて操作画面を表示する表示手段と、
前記表示手段に表示される操作画面を介して入力される入力情報が秘匿情報であるか否かを判定する判定手段と、
前記判定手段により前記入力情報が秘匿情報であると判定された入力情報の入力を制限する制御手段と、
前記操作画面を介して入力される入力情報を前記外部装置に送信する送信手段と、
前記送信手段が前記入力情報を送信した後、前記入力情報に基づいて生成された処理要求を前記前記外部装置から受信する第２の受信手段と、
前記制御手段により入力を制限された場合に入力情報を入力する入力手段と、
前記第２の受信手段により受信された処理要求及び前記入力手段により入力された入力情報に基づいて、画像処理を行う画像処理手段と
を有することを特徴とする画像処理装置。
【請求項６】
前記画像処理は、入力された画像データを暗号化する処理であって、
前記秘匿情報は、前記画像データを暗号化するための暗号鍵であることを特徴とする請求項１ないし５のいずれか１項に記載の画像処理装置。
【請求項７】
前記画面情報は、マークアップ言語で記述されたファイルであって、
前記表示手段は、前記ファイルの記述に基づいて操作画面を表示することを特徴とする請求項１ないし６のいずれか１項に記載の画像処理装置。
【請求項８】
前記表示手段は、前記ファイルの記述に基づいてユーザに入力情報を入力させるためのフィールドを表示し、
前記ファイルは、前記フィールドに入力される前記入力情報の属性が記述されており、
前記判定手段は、前記ファイルに記述されている前記属性を解析することにより、前記操作画面を介して入力される入力情報が秘匿情報であるか否かを判定することを特徴とする請求項７に記載の画像処理装置。
【請求項９】
外部装置と通信する画像処理装置の制御方法であって、
前記外部装置から画面情報を受信する第１の受信ステップと、
前記第１の受信ステップで受信した画面情報に基づいて操作画面を表示する表示ステップと、
前記操作画面を介して入力される入力情報を、前記外部装置へ送信する送信ステップと、
前記送信ステップで送信した入力情報を送信した後、前記入力情報に基づいて生成された処理要求を前記外部装置から受信する第２の受信ステップと、
前記第２の受信ステップで受信した処理要求に基づいて画像処理を行う画像処理ステップと、
前記表示ステップで表示される操作画面を介して入力される入力情報が秘匿情報であるか否かを判定する判定ステップと、
前記判定ステップで秘匿情報であると判定した入力情報を記憶する記憶ステップとを有し、
前記判定ステップで前記入力情報が秘匿情報であると判定した場合、前記送信ステップでは、前記判定ステップで秘匿情報であると判定した入力情報を送信せず、前記画像処理ステップでは、前記記憶ステップで記憶した前記入力情報を用いて画像処理を行うことを特徴とする制御方法。
【請求項１０】
外部装置と通信する画像処理装置の制御方法であって、
画面情報を受信する第１の受信ステップと、
前記画面情報に基づいて操作画面を表示する表示ステップと、
前記表示ステップで表示した操作画面を介して入力される入力情報が秘匿情報であるか否かを判定する判定ステップと、
前記判定ステップで前記入力情報が秘匿情報であると判定した入力情報の入力を制限させる制御ステップと、
前記操作画面を介して入力される入力情報を前記外部装置に送信する送信ステップと、前記送信ステップで前記入力情報を送信した後、前記入力情報に基づいて生成された処理要求を前記外部装置から受信する第２の受信ステップと、
前記制御ステップで入力を制限された入力情報を入力する入力ステップと、
前記第２の受信ステップで受信した処理要求及び前記入力ステップで入力した入力情報に基づいて、画像処理を行う画像処理ステップとを有することを特徴とする制御方法。
【請求項１１】
請求項１ないし８のいずれか１項に記載の画像処理装置の各手段として機能させるためのプログラム。
【手続補正２】
【補正対象書類名】明細書
【補正対象項目名】００１１
【補正方法】変更
【補正の内容】
【００１１】
また、本発明における画像処理装置は、外部装置から画面情報を受信する第１の受信手段と、前記画面情報に基づいて操作画面を表示する表示手段と、前記表示手段に表示される操作画面を介して入力される入力情報が秘匿情報であるか否かを判定する判定手段と、前記判定手段により前記入力情報が秘匿情報であると判定された入力情報の入力を制限する制御手段と、前記操作画面を介して入力される入力情報を前記外部装置に送信する送信手段と、前記送信手段が前記入力情報を送信した後、前記入力情報に基づいて生成された処理要求を前記前記外部装置から受信する第２の受信手段と、前記制御手段により入力を制限された場合に入力情報を入力する入力手段と、前記第２の受信手段により受信された処理要求及び前記入力手段により入力された入力情報に基づいて、画像処理を行う画像処理手段とを有することを特徴とする。